(57)【要約】【課題】在圏するＲＡＴ以外の他のＲＡＴへのセルリセレクションを許可するか否かを表す情報を含む報知情報を通知し、該報知情報に基づいて移動端末にＲＡＴの切替を行うか否かを判断させること。【解決手段】移動端末は、第１の基地局へアクセスできない場合に、第２の基地局へセルリセレクションを実行するか否かを設定するセルリセレクション設定部と、該セルリセレクション設定部による設定に従って、セルリセレクションを実行するアクセス制御部とを有する。セルリセレクション設定部は、第１の基地局からの報知情報に含まれるセルリセレクションを許可するか否かを表すセルリセレクション許可情報に従って、セルリセレクションを実行するか否かを判定する。【選択図】図３
2013135455.tif 000002
【特許請求の範囲】
【請求項１】
第１の基地局へアクセスできない場合に、第２の基地局へセルリセレクションを実行するか否かを設定するセルリセレクション設定部と、
該セルリセレクション設定部による設定に従って、セルリセレクションを実行するアクセス制御部と
を有し、
前記セルリセレクション設定部は、前記第１の基地局からの報知情報に含まれるセルリセレクションを許可するか否かを表すセルリセレクション許可情報に従って、セルリセレクションを実行するか否かを判定する、移動端末。
【請求項２】
前記第１の基地局により実行されている規制率と、前記第２の基地局により実行されている規制率とに基づいて、前記セルリセレクション許可情報が作成される、請求項１に記載の移動端末。
【請求項３】
前記第２の基地局により実行されているアクセス規制の規制率が、前記第１の基地局により実行されているアクセス規制の規制率以上である場合には、セルリセレクションを実行しないことを表すセルリセレクション許可情報が作成され、前記第２の基地局により実行されているアクセス規制の規制率が、前記第１の基地局により実行されているアクセス規制の規制率未満である場合には、セルリセレクションを実行することを表すセルリセレクション許可情報が作成される、請求項２に記載の移動端末。
【請求項４】
在圏する移動端末に対してアクセス規制を実行するネットワーク装置であって、
当該ネットワーク装置以外の他のネットワーク装置により実行されているアクセス規制の規制率を表す情報を取得する規制率情報取得部と、
該規制率情報取得部により取得された規制率を表す情報に基づいて、アクセス規制を実行した移動端末に対して、セルリセレクションを許可するか否かを表すセルリセレクション許可情報を設定するセルリセレクション設定部と、
該セルリセレクション設定部により設定されたセルリセレクション許可情報を含む報知情報を設定する報知情報設定部と、
該報知情報設定部により設定された報知情報を送信する送信部と
を有する、ネットワーク装置。
【請求項５】
前記セルリセレクション設定部は、前記ネットワーク装置により実行されている規制率と、前記他のネットワーク装置により実行されている規制率とに基づいて、前記セルリセレクション許可情報を作成する、請求項４に記載のネットワーク装置。
【請求項６】
前記セルリセレクション設定部は、前記他のネットワーク装置により実行されているアクセス規制の規制率が、前記ネットワーク装置により実行されているアクセス規制の規制率以上である場合には、セルリセレクションを実行しないことを表すセルリセレクション許可情報を作成し、前記他のネットワーク装置により実行されているアクセス規制の規制率が、前記ネットワーク装置により実行されているアクセス規制の規制率未満である場合には、セルリセレクションを実行することを表すセルリセレクション許可情報を作成する、請求項５に記載のネットワーク装置。
【請求項７】
前記ネットワーク装置は、無線ネットワーク制御装置又は基地局に含まれる、請求項４ないし６のいずれか１項に記載のネットワーク装置。
【請求項８】
前記無線ネットワーク制御装置に含まれる前記ネットワーク装置は、ＵＭＴＳ又はＧＳＭによりサービスを提供し、前記基地局に含まれる前記ネットワーク装置は、ＬＴＥによりサービスを提供する、請求項７に記載のネットワーク装置。
【請求項９】
第１の基地局へアクセスできない場合に、第２の基地局へ、セルリセレクションを実行するか否かを設定するセルリセレクション設定ステップと、
該セルリセレクション設定ステップによる設定に従って、セルリセレクションを実行するアクセス制御ステップと
を有し、
前記セルリセレクション設定ステップでは、前記第１の基地局からの報知情報に含まれるセルリセレクションを許可するか否かを表すセルリセレクション許可情報に従って、セルリセレクションを実行するか否かを判定する、移動端末により実行される通信方法。
【請求項１０】
在圏する移動端末に対してアクセス規制を実行するネットワーク装置により実行される通信方法であって、
当該ネットワーク装置以外の他のネットワーク装置により実行されているアクセス規制の規制率を表す情報を取得する規制率情報取得ステップと、
該規制率情報取得ステップにより取得された規制率を表す情報に基づいて、アクセス規制を実行した移動端末に対して、セルリセレクションを許可するか否かを表すセルリセレクション許可情報を設定するセルリセレクション設定ステップと、
該セルリセレクション設定ステップにより設定されたセルリセレクション許可情報を含む報知情報を設定する報知情報設定ステップと、
該報知情報設定ステップにより設定された報知情報を送信する送信ステップと
を有する、ネットワーク装置により実行される通信方法。
【発明の詳細な説明】
【技術分野】
【０００１】
本発明は移動通信システムに関連する。
【背景技術】
【０００２】
現在、移動通信システムでは、複数の移動通信方式が標準化されている。移動通信方式は、無線アクセス技術（ＲＡＴ：  Ｒａｄｉｏ  Ａｃｃｅｓｓ  Ｔｅｃｈｎｏｌｏｇｙ）と呼ばれることもある。３ＧＰＰ（３ｒｄ  Ｇｅｎｅｒａｔｉｏｎ  Ｐａｒｔｎｅｒｓｈｉｐ  Ｐｒｏｊｅｃｔ）標準仕様に規定されているＲＡＴには、ＬＴＥ（Ｌｏｎｇ  Ｔｅｒｍ  Ｅｖｏｌｕｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）（登録商標）が含まれる。ＵＭＴＳは第３世代通信方式であり、ＧＳＭは第２世代通信方式である。
【０００３】
ＧＳＭは、全世界で最も普及しているＲＡＴである。ＧＳＭは、広範囲にエリアが提供されている。しかしながら、ＧＳＭは、古い移動通信方式であるため、ＵＭＴＳと比較して、パケット通信の伝送速度が遅い。また、ＧＳＭでは、パケット通信以外にも回線交換を用いた音声サービスが提供されているのが一般的である。
【０００４】
ＵＭＴＳは、全世界で普及しつつあるＲＡＴであり、発展途上国等、まだ普及が進んでいない国も存在する。ＵＭＴＳは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）と呼ばれる技術を用いることにより、ＧＳＭよりもパケット通信の伝送速度が速い特徴がある。また、ＵＭＴＳでは、ＧＳＭと同様に、回線交換を用いた音声サービスが提供されるのが一般的である。
【０００５】
ＬＴＥは、ＵＭＴＳの次の世代の移動通信方式であり、導入されている国は先進国の中でもごく僅かである。ＬＴＥは、パケット交換方式をサポートする。ＬＴＥは、ＨＳＤＰＡ、ＨＳＵＰＡを凌駕する高速のパケット通信が可能である。しかしながら、ＬＴＥでは、回線交換を用いた音声サービスが提供されることが予定されていない。従って、音声サービスを利用するためには、ＶｏＬＴＥ（Ｖｏｉｃｅ  ｏｖｅｒ  ＬＴＥ）や、ＣＳＦＢ（Ｃｉｒｃｕｉｔ  Ｓｗｉｔｃｈｉｎｇ  Ｆａｌｌ  Ｂａｃｋ）を導入することが必要とされている。ＶｏＬＴＥは、ＩＭＳ（ＩＰ  Ｍｕｌｔｉｍｅｄｉａ  Ｓｕｂｓｙｓｔｅｍ）を用いたパケット通信を使った音声サービスである。ＣＳＦＢは、音声サービスを利用する際に、ＵＭＴＳやＧＳＭ等の回線交換で音声サービスが提供されているＲＡＴに遷移して音声サービスを受けることができるようにする技術である。
【０００６】
複数のＲＡＴによりサービスが提供されている環境では、電波環境、オペレータによる運用、ユーザが提供を受けたいサービスの種類等により、ＲＡＴを切替える方法が異なることがある。具体的には、ＲＡＴを切替える方法には、ネットワーク（ＮＷ：ＮｅｔＷｏｒｋ）により移動端末の遷移先のセルが指示されるハンドオーバや、移動端末により検出されたセルに遷移するセルリセレクション等の方法が含まれる。
【０００７】
例えば、ＶｏＬＴＥによるサービスが提供されていないＬＴＥのセルに、音声サービスの提供を受けたい移動端末が在圏している場合を考える。この場合、移動端末は、ＣＳＦＢによりＵＭＴＳ又はＧＳＭ等の回線交換で音声サービスを提供しているＲＡＴに遷移することが考えられる。
【０００８】
また、例えば、大容量のＬＴＥで、パケット通信を行うように運用しているオペレータのネットワークを考える。このように運用されているネットワークを利用しているユーザが、ＵＭＴＳのセルに在圏している際にパケット発信を行った場合、移動端末は、ネットワークからの指示に従って、ＬＴＥのセルに遷移することが考えられる。
【０００９】
一方、移動通信システムには、アクセス規制という機能がある。
【００１０】
アクセス規制とは、無線基地局装置（ＢＴＳ：  Ｂａｓｅ  Ｔｒａｎｓｃｅｉｖｅｒ  Ｓｔａｔｉｏｎ）や、無線ネットワーク制御装置（ＲＮＣ：  Ｒａｄｉｏ  Ｎｅｔｗｏｒｋ  Ｃｏｎｔｒｏｌ  Ｅｑｕｉｐｍｅｎｔ）等の無線アクセスネットワーク（ＲＡＮ：  Ｒａｄｉｏ  Ａｃｃｅｓｓ  Ｎｅｔｗｏｒｋ）が移動端末との間の通信を、少なくとも一部の移動端末について禁止する機能である。
【００１１】
アクセス規制は、ＲＡＮに含まれる装置に障害が発生した場合や輻輳が発生した場合に、主に、オペレータにより実行される。例えば、輻輳が発生した状態で多くの移動端末がＲＡＮとの間で通信を行おうとしてアクセスした場合、トラヒックが許容量を超えることにより装置が故障する可能性がある。輻輳が発生した状態で多くの移動端末がＲＡＮとの間で通信を行おうとしてアクセスすることにより生じる可能性のある故障を未然に防ぐために、アクセス規制を実行して、一部の移動端末のアクセスを禁止する。アクセス規制の方式について標準化されている（例えば、非特許文献１、２参照）。
【００１２】
ＵＭＴＳ、ＧＳＭのアクセス規制では、在圏している移動端末が複数のクラスに分けられる。あるクラスの移動端末に対してはアクセスが許容され、該あるクラス以外の他のクラスの移動端末に対してはアクセスが規制される場合がある。ＵＭＴＳ、ＧＳＭのアクセス規制では、クラスについてアクセス規制されるか否かの情報を含む報知情報が、配下の移動端末に通知される。報知情報を受信した移動端末は、該移動端末の属するクラスが規制されている場合には、ネットワークへアクセスしないように制御する。
【００１３】
規制するクラスの数に応じて、規制率も変わる。例えば、規制率が１００％であれば全クラスに属する移動端末がアクセス規制の対象となる。また、例えば、規制率が０％であれば全クラスに属する移動端末のアクセス規制が許容される。また、例えば、規制率が４０％であれば１０個のクラスの移動端末のうち、４個のクラスに属する移動端末のアクセス規制が許容される。
【００１４】
アクセス規制されるクラスが固定されると、特定の移動端末に対して長時間アクセス規制が実行される。特定の移動端末に対して長時間アクセス規制が実行され続けることを防止するために、規制率を維持したまま、アクセス規制されるクラスを定期的に変更するような運用が考えられる。
【００１５】
また、パケット交換方式（ＰＳ  Ｄｏｍａｉｎ：  Ｐａｃｋｅｔ  Ｓｗｉｔｃｈｉｎｇ  Ｄｏｍａｉｎ）のネットワークと、回線交換方式（Ｃｉｒｃｕｉｔ  Ｓｗｉｔｃｈｉｎｇ  Ｄｏｍａｉｎ）のネットワークとの間で、別々にアクセス規制を実行することも可能である。パケット交換方式のネットワークと、回線交換方式のネットワークとの間で、別々にアクセス規制を実行することは、ＤＳＡＣ（Ｄｏｍａｉｎ  Ｓｐｅｃｉｆｉｃ  Ａｃｃｅｓｓ  Ｃｏｎｔｒｏｌ）と呼ばれ、３ＧＰＰ標準仕様で標準化されている。
【００１６】
一方、ＬＴＥのアクセス規制では、ネットワークは、在圏している移動端末に、報知情報で規制率と規制時間とを通知する。移動端末は、発信や位置登録などのシグナリングコネクション（Ｓｉｇｎａｌｌｉｎｇ  Ｃｏｎｎｅｃｔｉｏｎ）の確立の際に、発信や位置登録を許容するか否かを判断する。具体的には、移動端末は、内部で保持している乱数を計算し、その乱数が規制率を下回れば、発信や位置登録を許容する。また、移動端末は、内部で保持している乱数を計算し、その乱数が規制率を上回れば、発信や位置登録はせず、報知情報で通知された規制時間の間、ネットワークへアクセスしないように制御する。
【００１７】
ＬＴＥのアクセス規制では、ネットワークからの報知情報に含まれるアクセス規制されるクラスを定期的に変更しなくても、特定の移動端末に対して長時間アクセス規制が実行され続けることはない。
【００１８】
以上のように、ＵＭＴＳ、ＧＳＭと、ＬＴＥとの間でアクセス規制の方式が多少異なるが、３ＧＰＰ標準仕様では、アクセス規制の方式が標準化されている。ＵＭＴＳ、ＧＳＭと、ＬＴＥに関わらず、アクセス規制に関する情報を含む報知情報が移動端末に通知される。移動端末は、報知情報に含まれるアクセス規制に関する情報に基づいて、発信や、位置登録を許容するか否か判断する。
【先行技術文献】
【非特許文献】
【００１９】
【非特許文献１】３ＧＰＰ  ＴＳ  ２５．３３１  Ｖ１０．５．０  ２０１１−０９
【非特許文献２】３ＧＰＰ  ＴＳ  ３６．３３１  Ｖ１０．３．０  ２０１１−０９
【発明の概要】
【発明が解決しようとする課題】
【００２０】
仮に、ＬＴＥに在圏中の移動端末が音声サービスを利用するために、ＣＳＦＢを実施する場合を考える。ＬＴＥでは、ＣＳ  Ｄｏｍａｉｎのサービスは提供されていない。従って、移動端末は、ＣＳＦＢでＣＳ  Ｄｏｍａｉｎのサービスを提供しているＵＭＴＳのセルに遷移する。しかし、移動端末の遷移先のＵＭＴＳのセルの規制率が１００％であったとする。移動端末の遷移先のＵＭＴＳのセルの規制率が１００％であった場合、該ＵＭＴＳのセルでは、ネットワークとの間の通信が許容されていない。このため、移動端末は、ＵＭＴＳのセルに遷移しても、音声サービスを利用できない。さらに、ＵＭＴＳのセルにおいて、ＰＳ  Ｄｏｍａｉｎのサービスも規制されていた場合には、ＰＳ  Ｄｏｍａｉｎのサービスも利用できない。ＵＭＴＳのセルにおいて、音声サービスを利用できず、且つＰＳ  Ｄｏｍａｉｎのサービスも利用できない場合には、移動端末は、ＵＭＴＳのセルに遷移するよりも、ＬＴＥのセルに留まった方がよいということになる。
【００２１】
また、ＵＭＴＳのセルにおいて、音声サービスを利用できないがＰＳ  Ｄｏｍａｉｎのサービスを利用できる場合でも、ＵＭＴＳのセルでＰＳ  Ｄｏｍａｉｎのサービスを利用するよりも、ＬＴＥを利用した方が、ユーザ、オペレータの両者にとってメリットが高いと考えられる。ＬＴＥを利用した方が、パケットの通信速度が速く、大容量であるためである。
【００２２】
現状の３ＧＰＰの標準仕様では、移動端末へ、他のＲＡＴの規制状態を通知する術が無い。従って、移動端末は、実際に他のＲＡＴのセルへ遷移しないと、該他のＲＡＴの規制率等の情報が分からない。従って、ＣＳＦＢでＣＳ  Ｄｏｍａｉｎのサービスを提供しているＵＭＴＳのセルに遷移した場合に、該遷移先のセルでアクセス規制が実行されていることがある。このような場合には、セルの遷移は無駄となる。
【００２３】
また、遷移先のＵＭＴＳセルによりアクセス規制が実行されている場合に、遷移元のＬＴＥセルに戻る制御が行われない場合には、移動端末は、何のサービスも受けることなくＵＭＴＳのセルに留まることになる。
【００２４】
また、３Ｇのセルに在圏している移動端末がパケット発信を実施するためにアクセスしようとするがアクセス規制により発信できないこともある。この場合、３ＧＰＰ標準仕様では、在圏しているセル以外の他のセルにおける規制状態を把握する術が無い。また、アクセス規制により発信できない場合に、他のセルに遷移する方式も特に標準化されていない。従って、アクセス規制によりパケット発信できない場合、３Ｇのセルに在圏している移動端末は、該３Ｇのセルに留まり他のセルへ遷移するか、該３Ｇのセルのアクセス規制が解除されるまで待機することになる。
【００２５】
本発明は、上記の点に鑑みてなされたものであり、在圏するＲＡＴ以外の他のＲＡＴへのセルリセレクションを許可するか否かを表す情報を含む報知情報を通知し、該報知情報に基づいて移動端末にＲＡＴの切替を行うか否かを判断させる技術を提供することを目的とする。
【課題を解決するための手段】
【００２６】
上記の課題を解決するために、本発明の移動端末は、
第１の基地局へアクセスできない場合に、第２の基地局へ、セルリセレクションを実行するか否かを設定するセルリセレクション設定部と、
該セルリセレクション設定部による設定に従って、セルリセレクションを実行するアクセス制御部と
を有し、
前記セルリセレクション設定部は、前記第１の基地局からの報知情報に含まれるセルリセレクションを許可するか否かを表すセルリセレクション許可情報に従って、セルリセレクションを実行するか否かを判定する、移動端末として達成される。
【００２７】
前記第１の基地局により実行されている規制率と、前記第２の基地局により実行されている規制率とに基づいて、前記セルリセレクション許可情報が作成される、ように構成してもよい。
【００２８】
前記第２の基地局により実行されているアクセス規制の規制率が、前記第１の基地局により実行されているアクセス規制の規制率以上である場合には、セルリセレクションを実行しないことを表すセルリセレクション許可情報が作成され、前記第２の基地局により実行されているアクセス規制の規制率が、前記第１の基地局により実行されているアクセス規制の規制率未満である場合には、セルリセレクションを実行することを表すセルリセレクション許可情報が作成される、ように構成してもよい。
【００２９】
本発明のネットワーク装置は、
在圏する移動端末に対してアクセス規制を実行するネットワーク装置であって、
当該ネットワーク装置以外の他のネットワーク装置により実行されているアクセス規制の規制率を表す情報を取得する規制率情報取得部と、
該規制率情報取得部により取得された規制率を表す情報に基づいて、アクセスを規制している移動端末に対して、セルリセレクションを許可するか否かを表すセルリセレクション許可情報を設定するセルリセレクション設定部と、
該セルリセレクション設定部により設定されたセルリセレクション許可情報を含む報知情報を設定する報知情報設定部と、
該報知情報設定部により設定された報知情報を送信する送信部と
を有する、ネットワーク装置として達成される。
【００３０】
前記セルリセレクション設定部は、前記ネットワーク装置により実行されている規制率と、前記他のネットワーク装置により実行されている規制率とに基づいて、前記セルリセレクション許可情報を作成する、ように構成してもよい。
【００３１】
前記セルリセレクション設定部は、前記他のネットワーク装置により実行されているアクセス規制の規制率が、前記ネットワーク装置により実行されているアクセス規制の規制率以上である場合には、セルリセレクションを実行しないことを表すセルリセレクション許可情報を作成し、前記他のネットワーク装置により実行されているアクセス規制の規制率が、前記ネットワーク装置により実行されているアクセス規制の規制率未満である場合には、セルリセレクションを実行することを表すセルリセレクション許可情報を作成する、ように構成してもよい。
【００３２】
前記ネットワーク装置は、無線ネットワーク制御装置又は基地局に含まれる、ように構成してもよい。
【００３３】
前記無線ネットワーク制御装置に含まれる前記ネットワーク装置は、ＵＭＴＳ又はＧＳＭによりサービスを提供し、前記基地局に含まれる前記ネットワーク装置は、ＬＴＥによりサービスを提供する、ように構成してもよい。
【００３４】
また、上記移動端末が実行する通信方法、上記ネットワーク装置が実行する通信方法として構成することもできる。
【発明の効果】
【００３５】
開示された実施例によれば、在圏するＲＡＴ以外の他のＲＡＴへのセルリセレクションを許可するか否かを表す情報を含む報知情報を通知し、該報知情報に基づいて移動端末にＲＡＴの切替を行うか否かを判断させることが可能となる。
【図面の簡単な説明】
【００３６】
【図１】移動通信システムの一実施例を示す図である。
【図２】無線ネットワーク制御装置の一実施例を示す図である。
【図３】無線ネットワーク制御装置の一実施例を示す機能ブロック図である。
【図４】基地局の一実施例を示す図である。
【図５】基地局の一実施例を示す機能ブロック図である。
【図６】移動端末の一実施例を示す図である。
【図７】移動端末の一実施例を示す機能ブロック図である。
【図８】移動通信システムの動作の一実施例を示す図である。
【図９】移動通信システムの動作（その１）の一実施例を示すシーケンスチャートである。
【図１０】移動通信システムの動作（その２）の一実施例を示すシーケンスチャートである。
【図１１】移動通信システムの動作の一実施例を示す図である。
【図１２】移動通信システムの動作（その３）の一実施例を示すシーケンスチャートである。
【図１３】移動通信システムの動作（その４）の一実施例を示すシーケンスチャートである。
【図１４】管理装置の一実施例を示す図である。
【図１５】管理装置の一実施例を示す機能ブロック図である。
【図１６】移動通信システムの動作の一実施例を示すシーケンスチャートである。
【図１７】移動通信システムの動作の一実施例を示すシーケンスチャートである。
【発明を実施するための形態】
【００３７】
以下、図面に基づいて、実施例を説明する。
なお、実施例を説明するための全図において、同一機能を有するものは同一符号を用い、繰り返しの説明は省略する。
【００３８】
＜実施例＞
＜移動通信システム＞
図１は、移動通信システムの一実施例を示す。移動通信システムが適用される環境では、複数のＲＡＴによりサービスが提供されている。図１には、一例として、２つのＲＡＴによりサービスが提供されている場合について説明する。つまり、第１の移動通信システムと、第２の移動通信システムにより、サービスが提供されている。第１の移動通信システムのＲＡＴと、第２の移動通信システムのＲＡＴとは異なる場合がある。
【００３９】
例えば、第１の移動通信システムには、第１の基地局（ＢＳ：  Ｂａｓｅ  Ｓｔａｔｉｏｎ）２００と、無線ネットワーク制御装置（ＲＮＣ：  Ｒａｄｉｏ  Ｎｅｔｗｏｒｋ  Ｃｏｎｔｒｏｌｌｅｒ）４００とが含まれる。無線ネットワーク制御装置４００は、ＳＧＳＮ（Ｓｅｒｖｉｎｇ  ＧＰＲＳ  Ｓｕｐｐｏｒｔ  Ｎｏｄｅ）５００と接続される。ＳＧＳＮ５００は、Ｇｂ、ｌｕインターフェースを介して無線ネットワーク制御装置４００に接続される。第１の移動通信システムは、第２世代通信方式によりサービスを提供するシステムであってもよいし、第３世代通信方式によりサービスを提供するシステムであってもよい。つまり、第１の移動通信システムは、ＧＳＭ（登録商標）、ＵＭＴＳ等によりサービスを提供する。
【００４０】
また、例えば、第２の移動通信システムには、第２の基地局（ｅＮＢ：  ｅＮｏｄｅＢ）３００が含まれる。第２の基地局３００は、ＭＭＥ（Ｍｏｂｉｌｉｔｙ  Ｍａｎａｇｅｍｅｎｔ  Ｅｎｔｉｔｙ）６００と接続される。ＭＭＥ６００は、ＳＧＳＮ５００と接続される。第２の移動通信システムは、第３世代通信方式以降の通信方式によりサービスを提供するシステムであってもよい。つまり、第２の移動通信システムには、ＬＴＥ、ＬＴＥ−Ａｄｖａｎｃｅｄ等が含まれる。
【００４１】
第２の基地局３００は、アクセスポイントと呼ばれてもよい。また、第２の基地局３００は、例えば、無線リソースの管理、ＩＰヘッダ圧縮及び暗号処理、ユーザプレーンデータのルーティング、ページングメッセージや報知情報のスケジューリング等を行う。
【００４２】
第２の基地局３００により、第１の移動通信システムにおける処理が実行されるようにしてもよい。
【００４３】
ＭＭＥ６００は、Ｓ１インターフェースを介して第２の基地局３００に接続される。ＭＭＥ６００は、交換局により実現されてもよい。ＭＭＥ６００は、移動端末１００の移動を管理する。具体的には、３ＧＰＰアクセスネットワーク間における移動管理、トラッキングエリア（位置登録エリア）リストの管理、パケットデータネットワーク（ＰＤＮ：  Ｐａｃｋｅｔ  Ｄａｔａ  ＮｅｔＷｏｒｋ）のゲートウェイ（ＧＷ）の選択、サービングゲートウェイ（ＧＷ）の選択、ハンドオーバにおける交換局（ＭＭＥ）の選択、ローミング、認証、無線アクセスベアラ管理、加入者情報の管理、移動管理、発着信制御、課金制御、ＱｏＳ制御等に関する処理を行う。
【００４４】
本実施例が適用可能なシステムは、ＧＳＭ、ＵＭＴＳ、ＬＴＥ、ＬＴＥ−Ａｄｖａｎｃｅｄに限られない。例えば、ＣｄｍａＯｎｅ、ＣＤＭＡ２０００に、本実施例が適用されてもよい。また、図１には１台の移動端末が示されているが、２台以上であってもよい。また、図１には１台のＭＭＥ６００が示されているが、２台以上であってもよい。
【００４５】
第１の基地局２００、第２の基地局３００によりカバーされるエリアには、１又は複数のセルが含まれる。複数のセルには、同一周波数帯で無線通信可能なセルが存在してもよい。該同一周波数帯で無線通信可能なセルは周波数レイヤと呼ばれてもよい。図１には、一例として、第１の基地局２００によりカバーされる１つのセル２５０と、第２の基地局３００によりカバーされる１つのセル３５０が示される。セル２５０とセル３５０は、少なくとも一部分がオーバーレイしている。
【００４６】
移動端末１００は、ユーザが通信することができる適切な如何なるユーザ端末でもよく、例えば、携帯電話、情報端末、パーソナルディジタルアシスタント、携帯用パーソナルコンピュータ等が含まれるが、これらに限定されない。
【００４７】
移動通信システムは、主に無線アクセス制御を行う無線アクセスネットワーク（ＲＡＮ：  Ｒａｄｉｏ  Ａｃｃｅｓｓ  Ｎｅｔｗｏｒｋ）と、移動管理、呼制御、サービス制御等を行うコアネットワーク（ＣＮ：  ＣｏｒｅＮｅｔｗｏｒｋ）に分類される。以下、コアネットワークは、単にネットワークと呼ばれることもある。
【００４８】
ＲＡＮには、第１の無線基地局２００及び無線ネットワーク制御装置４００が含まれる。第１の無線基地局２００及び無線ネットワーク制御装置４００が含まれる場合、ＲＡＮはＵＴＲＡＮ、ＧＥＲＡＮと呼ばれてもよいし、単にネットワークと呼ばれてもよい。無線ネットワーク制御装置４００は、ネットワーク装置と呼ばれてもよい。また、ＲＡＮには、第２の無線基地局３００が含まれる。第２の無線基地局３００が含まれる場合、ＲＡＮはＥ−ＵＴＲＡＮと呼ばれてもよいし、単にネットワークと呼ばれてもよい。第２の無線基地局３００は、ネットワーク装置と呼ばれてもよい。
【００４９】
ＣＮは、回線交換（ＣＳ：  Ｃｉｒｃｕｉｔ  Ｓｗｉｔｃｈｅｄ）ドメイン、パケット交換（ＰＳ：  Ｐａｃｋｅｔ  Ｓｗｉｔｃｈｅｄ）ドメインから構成される。一般に、ＣＳドメインは音声系サービスを提供し、ＰＳドメインはデータ通信系サービスを提供する。
【００５０】
＜無線ネットワーク制御装置４００＞
図２は、無線ネットワーク制御装置４００の一実施例を示す。
【００５１】
無線ネットワーク制御装置４００は、通信部４０２と、ベースバンド制御装置４０４と、記憶部４０６とを有する。
【００５２】
通信部４０２は、第１の基地局２００、ＳＧＳＮ５００と接続される。通信部４０２には、第１の基地局２００以外の第２の基地局３００の規制率情報（以下、「他セル規制率情報」という）が入力される。規制率情報には、第２の基地局により実行されているアクセス規制の規制率が含まれる。アクセス規制の規制率は、０％−１００％により表されてもよい。他セル規制率情報は、無線制御装置４００と接続された管理装置（図示無し）により入力されたものであってもよい。該管理装置は、第２の基地局３００と接続され、第２の基地局３００から規制率情報を取得する。
【００５３】
また、通信部４０２は、ＳＧＳＮ５００からの信号を受信する。ＳＧＳＮ５００からの信号に、第１の基地局２００以外の第２の基地局から、Ｇｂ又はｌｕインターフェースを介して送信された他セル規制率情報が含まれてもよい。
【００５４】
また、通信部４０２は、接続された管理装置へ、第１の基地局により実行されているアクセス規制の規制率を表す情報を含む規制率情報（以下、「セル規制率情報」という）を送信する。
【００５５】
また、通信部４０２は、Ｇｂ又はｌｕインターフェースを介して、ＳＧＳＮ５００へ信号を送信する。ＳＧＳＮ５００へ送信する信号には、第１の基地局２００から送信されたセル規制率情報が含まれてもよい。アクセス規制の規制率は、０％−１００％により表されてもよい。また、通信部４０２は、第１の基地局２００へ、ベースバンド制御装置４０４からの報知情報を送信する。第１の基地局２００は、配下の移動端末１００へ、無線ネットワーク制御装置４００からの報知情報を送信する。
【００５６】
ベースバンド制御装置４０４は、通信部４０２と接続される。ベースバンド制御装置４０４は、記憶部４０６に記憶されたプログラムに従って、ベースバンド信号を処理するための制御を実行する。ベースバンド制御装置４０４は、通信部４０２からの他セル規制率情報と、セル規制率情報とに基づいて、配下の移動端末１００へセルリセレクションを許可するか否かを決定する。ベースバンド制御装置４０４は、配下の移動端末１００へセルリセレクションを許可するか否かを表す情報（以下、「セルリセレクション許可情報」という）を含む報知情報を作成する。ベースバンド制御装置４０４は、通信部４０２へ、該報知情報を入力する。
【００５７】
記憶部４０６は、ベースバンド制御装置４０４と接続される。記憶部４０６には、アプリケーションと、オペレーティングシステム（ＯＳ：  Ｏｐｅｒａｔｉｎｇ  Ｓｙｓｔｅｍ）とが格納される。アプリケーションは、作業者が無線ネットワーク制御装置４００で作業する処理を実行する機能を有するソフトウェアである。オペレーティングシステムは、無線ネットワーク制御装置４００において、ハードウェアを抽象化したインターフェースをアプリケーションソフトウェアに提供するソフトウェアである。
【００５８】
＜無線ネットワーク制御装置４００の機能＞
図３は、無線ネットワーク制御装置４００の機能の一実施例を示す。図３には、記憶部４０６に記憶されたプログラムに従って、ベースバンド制御装置４０４により実行される機能が示される。
【００５９】
ベースバンド制御装置４０４により実行される機能には、規制率情報取得部４１２と、セルリセレクション設定部４１４と、報知情報設定部４１６とが含まれる。
【００６０】
規制率情報取得部４１２には、通信部４０２から他セル規制情報が入力される。規制率情報取得部４１２は、セルリセレクション設定部４１４へ、通信部４０２からの他セル規制情報を入力する。
【００６１】
セルリセレクション設定部４１４は、規制率情報取得部４１２と接続される。セルリセレクション設定部４１４には、セル規制率情報が入力される。セルリセレクション設定部４１４は、セル規制率情報と、規制率情報取得部４１２からの他セル規制率情報とに基づいて、配下の移動端末１００に対してアクセス規制を実行している場合に、該移動端末１００へセルリセレクションを許可するか否かを判定する。具体的には、セルリセレクション設定部４１４は、他セル規制率情報に含まれる他セル規制率に、セル規制率情報に含まれるセル規制率未満の規制率が含まれる場合には、セルリセレクションを許可すると判定する。一方で、セルリセレクション設定部４１４は、他セル規制率情報に含まれる他セル規制率に、セル規制率情報に含まれるセル規制率未満の規制率が含まれない場合には、セルリセレクションを許可しないと判定する。セルリセレクション設定部４１４は、報知情報設定部４１６へ、セルリセレクション許可情報を入力する。
【００６２】
報知情報設定部４１６は、セルリセレクション設定部４１４と接続される。報知情報設定部４１６は、セルリセレクション設定部４１４からのセルリセレクション許可情報に基づいて、報知情報を作成する。報知情報には、セルリセレクションを許可するか否かを表すフラグが用意される。具体的には、報知情報のシステムインフォメーションブロックタイプ３（ＳＩＢ３：  Ｓｙｓｔｅｍ  Ｉｎｆｏｒｍａｔｉｏｎ  Ｂｌｏｃｋ  ｔｙｐｅ  ３）へ用意されてもよい。ＳＩＢ３に用意されることにより、アクセス規制されている場合でも、移動端末１００へ、セルリセレクションが許可されているか否かを検出させることができる。フラグは、１又は複数のビット（ｂｉｔ）により表されてもよい。
【００６３】
また、報知情報設定部４１６は、セルリセレクション設定部４１４からのセルリセレクション許可情報により表される情報に基づいて、セルリセレクションを許可するか否かを表すフラグを立てたり、立てなかったりする。具体的には、報知情報設定部４１６は、セルリセレクション設定部４１４からのセルリセレクション許可情報により表される情報がセルリセレクションを許可することを表す場合にはフラグを立てるようにしてもよい。一方、報知情報設定部４１６は、セルリセレクション設定部４１４からのセルリセレクション許可情報により表される情報がセルリセレクションを許可しないことを表す場合にはフラグを立てないようにしてもよい。これらは一例であり、適宜変更可能である。例えば、報知情報設定部４１６は、セルリセレクション設定部４１４からのセルリセレクション許可情報により表される情報がセルリセレクションを許可することを表す場合にはフラグを立てないようにしてもよい。一方、報知情報設定部４１６は、セルリセレクション設定部４１４からのセルリセレクション許可情報により表される情報がセルリセレクションを許可しないことを表す場合にはフラグを立てるようにしてもよい。
【００６４】
報知情報設定部４１６は、通信部４０２へ、報知情報を入力する。
【００６５】
＜第２の基地局３００＞
図４は、第２の基地局３００の一実施例を示す。
【００６６】
第２の基地局３００は、ＭＭＥ６００と接続される。第２の基地局３００は、通信部３０２と、無線通信部３０４と、ベースバンド制御装置３０６と、記憶部３０８とを有する。
【００６７】
通信部３０２は、ＭＭＥ６００と接続される。通信部３０２には、第２の基地局３００以外の第１の基地局２００の規制率情報（以下、「他セル規制率情報」という）が入力される。他セル規制率情報には、第１の基地局２００により実行されているアクセス規制の規制率が含まれる。アクセス規制の規制率は、０％−１００％により表されてもよい。他セル規制率情報は、第２の基地局３００と接続された管理装置（図示無し）により入力されたものであってもよい。該管理装置は、無線ネットワーク制御装置４００と接続され、無線ネットワーク制御装置４００から規制率情報を取得する。
【００６８】
また、通信部３０２は、ＭＭＥ６００からの信号を受信する。ＭＭＥ６００からの信号には、第２の基地局３００以外の第１の基地局から、Ｓ１インターフェースを介して受信する他セル規制率情報が含まれてもよい。他セル規制率情報には、第１の基地局２００により実行されているアクセス規制の規制率が含まれる。
【００６９】
また、通信部３０２は、Ｓ１インターフェースを介して、ＭＭＥ６００へ信号を送信するようにしてもよい。ＭＭＥ６００へ送信する信号には、第２の基地局３００から送信されたセル規制率情報が含まれてもよい。セル規制率情報には、第２の基地局により実行されているアクセス規制の規制率が含まれる。
【００７０】
無線通信部３０４は、配下の移動端末へ、ベースバンド制御装置３０６からの報知情報を送信する。
【００７１】
ベースバンド制御装置３０６は、通信部３０２、無線通信部３０４と接続される。ベースバンド制御装置３０６は、記憶部３０８に記憶されたプログラムに従って、ベースバンド信号を処理するための制御を実行する。ベースバンド制御装置３０６は、通信部３０２からの他セル規制率情報と、セル規制率情報とに基づいて、配下の移動端末へセルリセレクションを許可するか否かを決定する。ベースバンド制御装置３０６は、配下の移動端末へセルリセレクション許可情報を含む報知情報を作成する。ベースバンド制御装置３０６は、無線通信部３０４へ、該報知情報を入力する。
【００７２】
記憶部３０８は、ベースバンド制御装置３０６と接続される。記憶部３０８には、アプリケーションと、ＯＳとが格納される。アプリケーションは、作業者が第２の基地局３００で作業する処理を実行する機能を有するソフトウェアである。オペレーティングシステムは、第２の基地局３００において、ハードウェアを抽象化したインターフェースをアプリケーションソフトウェアに提供するソフトウェアである。
【００７３】
＜第２の基地局３００の機能＞
図５は、第２の基地局３００の機能の一実施例を示す。図５には、記憶部３０８に記憶されたプログラムに従って、ベースバンド制御装置３０６により実行される機能が示される。
【００７４】
ベースバンド制御装置３０６により実行される機能には、規制率情報取得部３１２と、セルリセレクション設定部３１４と、報知情報設定部３１６とが含まれる。
【００７５】
規制率情報取得部３１２には、通信部３０２から他セル規制情報が入力される。規制率情報取得部３１２は、セルリセレクション設定部３１４へ、通信部３０２からの他セル規制情報を入力する。
【００７６】
セルリセレクション設定部３１４は、規制率情報取得部３１２と接続される。セルリセレクション設定部３１４には、セル規制率情報が入力される。セルリセレクション設定部３１４は、セル規制率情報と、規制率情報取得部３１２からの他セル規制率情報とに基づいて、配下の移動端末に対してアクセス規制を実行している場合に、該移動端末へセルリセレクションを許可するか否かを判定する。具体的には、セルリセレクション設定部３１４は、他セル規制率情報に含まれる他セル規制率に、セル規制率情報に含まれるセル規制率未満の規制率が含まれる場合には、セルリセレクションを許可すると判定する。一方で、セルリセレクション設定部３１４は、他セル規制率情報に含まれる他セル規制率に、セル規制率情報に含まれるセル規制率未満の規制率が含まれない場合には、セルリセレクションを許可しないと判定する。セルリセレクション設定部３１４は、報知情報設定部３１６へ、セルリセレクション許可情報を入力する。
【００７７】
報知情報設定部３１６は、セルリセレクション設定部３１４と接続される。報知情報設定部３１６は、セルリセレクション設定部３１４からのセルリセレクション許可情報に基づいて、報知情報を作成する。報知情報には、セルリセレクションを許可するか否かを表すフラグが用意される。具体的には、報知情報のシステムインフォメーションブロックタイプ２（ＳＩＢ２：  Ｓｙｓｔｅｍ  Ｉｎｆｏｒｍａｔｉｏｎ  Ｂｌｏｃｋ  ｔｙｐｅ  ２）へ用意されてもよい。ＳＩＢ２に用意されることにより、アクセス規制されている場合でも、移動端末へ、セルリセレクションが許可されているか否かを検出させることができる。
【００７８】
報知情報設定部３１６は、セルリセレクション設定部３１４からのセルリセレクション許可情報により表される情報に基づいて、セルリセレクションを許可するか否かを表すフラグを立てたり、立てなかったりする。具体的には、報知情報設定部３１６は、セルリセレクション設定部３１４からのセルリセレクション許可情報により表される情報がセルリセレクションを許可することを表す場合にはフラグを立てるようにしてもよい。一方、報知情報設定部３１６は、セルリセレクション設定部３１４からのセルリセレクション許可情報により表される情報がセルリセレクションを許可しないことを表す場合にはフラグを立てないようにしてもよい。これらは一例であり、適宜変更可能である。例えば、報知情報設定部３１６は、セルリセレクション設定部３１４からのセルリセレクション許可情報により表される情報がセルリセレクションを許可することを表す場合にはフラグを立てないようにしてもよい。一方、報知情報設定部３１６は、セルリセレクション設定部３１４からのセルリセレクション許可情報により表される情報がセルリセレクションを許可しないことを表す場合にはフラグを立てるようにしてもよい。
【００７９】
報知情報設定部３１６は、無線通信部３０４へ、報知情報を入力する。
【００８０】
＜移動端末１００＞
図６は、移動端末１００の一実施例を示す。
【００８１】
移動端末１００は、第１の基地局２００と無線通信を行うことができる。また、移動端末１００は、第２の基地局３００と無線通信を行うことができる。つまり、移動端末１００は、デュアルモード端末である。デュアルモード端末は、例えばＵＭＴＳ、ＧＳＭ方式と、例えばＬＴＥ方式により通信を行うことができる。移動端末１００は、第１の基地局２００又は第２の基地局３００と無線接続される。
【００８２】
移動端末１００は、無線通信部１０２と、ベースバンド制御装置１０４と、記憶部１０６とを有する。
【００８３】
無線通信部１０２は、第１の基地局２００又は第２の基地局３００からの無線信号を受信する。第１の基地局２００又は第２の基地局３００からの無線信号には、報知情報が含まれる。報知情報には、セルリセレクション許可情報が含まれる。
【００８４】
ベースバンド制御装置１０４は、記憶部１０６に記憶されたプログラムに従って、ベースバンド信号を処理するための制御を実行する。ベースバンド制御装置１０４は、無線通信部１０２と接続される。ベースバンド制御装置１０４は、セルリセレクション許可情報に基づいて、第１の基地局２００へのアクセス規制が実行されて、発信ができない場合に、第２の基地局３００へのセルリセレクションを実行するか否かを判定する。ベースバンド制御装置１０４は、第２の基地局３００へのセルリセレクションを実行すると判定した場合第２の基地局３００へのセルリセレクションを実行し、第２の基地局３００へのセルリセレクションを実行しないと判定した場合、他のセルへ移動するか、アクセス規制が解除されるまで待機する。
【００８５】
また、ベースバンド制御装置１０４は、セルリセレクション許可情報に基づいて、第２の基地局３００へのアクセスが規制されている場合に、第１の基地局２００へのセルリセレクションを実行するか否かを判定する。ベースバンド制御装置１０４は、第１の基地局２００へのセルリセレクションを実行すると判定した場合第１の基地局２００へのセルリセレクションを実行し、第１の基地局２００へのセルリセレクションを実行しないと判定した場合待機する。
【００８６】
記憶部１０６は、ベースバンド制御装置１０４と接続される。記憶部１０６には、アプリケーションと、ＯＳとが格納される。アプリケーションは、ユーザが移動端末１００で作業する処理を実行する機能を有するソフトウェアである。オペレーティングシステムは、移動端末１００において、ハードウェアを抽象化したインターフェースをアプリケーションソフトウェアに提供するソフトウェアである。
【００８７】
＜移動端末１００の機能＞
図７は、移動端末１００の機能の一実施例を示す。図７には、記憶部１０６に記憶されたプログラムに従って、ベースバンド制御装置１０４により実行される機能が示される。
【００８８】
ベースバンド制御装置１０４により実行される機能には、アクセス制御部１１２と、セルリセレクション判定部１１４とが含まれる。
【００８９】
アクセス制御部１１２は、第１の基地局２００、第２の基地局３００に対してアクセス制御を行う。アクセス制御部１１２には、第１の基地局２００、第２の基地局３００からの報知情報が入力される。アクセス制御部１１２は、報知情報に含まれる情報に基づいて、アクセスしようとする基地局によりアクセス規制が実行されているか否かを判定するようにしてもよい。アクセス制御部１１２は、セルリセレクション判定部１１４へ、報知情報に含まれるセルリセレクション許可情報を入力する。アクセス制御部１１２は、アクセスしてもアクセスできない場合、又はアクセス規制が実行されていると判定した場合に、セルリセレクション判定部１１４へ、報知情報に含まれるセルリセレクション許可情報を入力するようにしてもよい。
【００９０】
セルリセレクション判定部１１４は、アクセス制御部１１２と接続される。セルリセレクション判定部１１４は、アクセス制御部１１２からのセルリセレクション許可情報に基づいて、該セルリセレクション許可情報により表される情報に基づいて、セルリセレクションを実行するか否かを判定する。具体的には、セルリセレクション判定部１１４は、アクセス制御部１１２からのセルリセレクション許可情報により表される情報がセルリセレクションを許可することを表す場合にはセルリセレクションを実行するようにしてもよい。一方、セルリセレクション判定部１１４は、アクセス制御部１１２からのセルリセレクション許可情報により表される情報がセルリセレクションを許可しないことを表す場合にはセルリセレクションを実行しないようにしてもよい。
【００９１】
セルリセレクション判定部１１４は、アクセス制御部１１２へ、セルリセレクションを実行するか否かを表す情報を入力する。アクセス制御部１１２は、セルリセレクション判定部１１４からのセルリセレクションを実行するか否かを表す情報に従って、セルリセレクションを実行する。
【００９２】
＜移動通信システムの動作（その１）＞
図８は、移動通信システムの動作（その１）（その２）を説明するための状況を示す。
【００９３】
第１の基地局２００のセル２５０と、第２の基地局３００のセル３５０の少なくとも一部がオーバーレイしている。第１の基地局２００におけるアクセス規制の規制率は２０％であり、第２の基地局３００におけるアクセス規制の規制率は９０％である。移動端末１００は、第１の基地局２００のセルに位置する。
【００９４】
図９は、移動通信システムの動作（その１）を示すシーケンスチャートである。
【００９５】
無線ネットワーク制御装置４００の規制率情報取得部４１２は、他セル規制率情報を取得する（ステップＳ９０２）。具体的には、規制率情報取得部４１２は、管理装置から、他セル規制率情報を取得するようにしてもよい。他セル規制率情報には、第２の基地局３００の識別子と、第２の基地局３００により実行されているアクセス規制の規制率が９０％であることを表す情報が含まれてもよい。
【００９６】
無線ネットワーク制御装置４００のセルリセレクション設定部４１４は、他セル規制率情報に基づいて、配下の移動端末１００に対してセルリセレクションを許可するか否かを設定する（ステップＳ９０４）。セルリセレクション設定部４１４は、他セル規制率情報により表される第２の基地局３００の規制率が９０％であり、セル規制率情報により表される規制率が２０％であるため、セルリセレクションを許可しないと判定する。他セル規制率情報に含まれる他セル規制率に、セル規制率情報に含まれるセル規制率未満の規制率が含まれないためである。
【００９７】
無線ネットワーク制御装置４００の報知情報設定部４１６は、報知情報を作成する（ステップＳ９０６）。報知情報設定部４１６は、ステップＳ９０４により設定されたセルリセレクション許可情報に基づいて、セルリセレクションを許可するか否かを表すフラグを含む報知情報を作成する。ステップＳ９０４によりセルリセレクションを許可しないと判定されたため、報知情報設定部４１６は、セルリセレクションを許可するか否かを表すフラグが立てられない。
【００９８】
無線ネットワーク制御装置４００の通信部４０２は、第１の基地局２００へ、報知情報を送信する（ステップＳ９０８）。
【００９９】
第１の基地局２００は、配下の移動端末１００へ、無線ネットワーク制御装置４００からの報知情報を送信する（ステップＳ９１０）。
【０１００】
移動端末１００アクセス制御部１１２は、第１の基地局２００へ、パケット発信を開始しようとする。しかし、移動端末１００は第１の基地局２００によりアクセス規制の対象とされ、アクセス制御部１１２はパケット発信ができない（ステップＳ９１２）。
【０１０１】
移動端末１００は、待機する（ステップＳ９１４）。第１の基地局２００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。セルリセレクション判定部１１４は、セルリセレクションを許可するか否かを表すフラグが立っていないので、セルリセレクションを実行しないと判定する。
【０１０２】
ステップＳ９０２−Ｓ９０６の処理は、ベースバンド制御装置４０４の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図９の各ステップＳ９０２−Ｓ９０６を実行させる。また、例えば、プログラムは、少なくとも一部のステップを実行されるようにしてもよい。
【０１０３】
＜移動通信システムの動作（その２）＞
図８に示される状況で、移動端末１００が、第２の基地局３００のセルに位置する場合について説明する。
【０１０４】
図１０は、移動通信システムの動作（その２）を示すシーケンスチャートである。
【０１０５】
第２の基地局３００の規制率情報取得部３１２は、他セル規制率情報を取得する（ステップＳ１００２）。具体的には、規制率情報取得部３１２は、管理装置から他セル規制率情報を取得する。他セル規制率情報には、第１の基地局３００の識別子と、第１の基地局２００により実行されているアクセス規制の規制率が２０％であることを表す情報が含まれる。
【０１０６】
第２の基地局３００のセルリセレクション設定部３１４は、他セル規制率情報に基づいて、配下の移動端末１００に対してセルリセレクションを許可するか否かを設定する（ステップＳ１００４）。セルリセレクション設定部３１４は、他セル規制率情報により表される第１の基地局２００の規制率が２０％であり、セル規制率情報により表される規制率が９０％であるため、セルリセレクションを許可すると判定する。他セル規制率情報に含まれる他セル規制率に、セル規制率情報に含まれるセル規制率未満の規制率が含まれるためである。
【０１０７】
第２の基地局３００の報知情報設定部３１６は、報知情報を作成する（ステップＳ１００６）。報知情報設定部３１６は、ステップＳ１００４により設定されたセルリセレクション許可情報に基づいて、セルリセレクションを許可するか否かを表すフラグを含む報知情報を作成する。ステップＳ１００４によりセルリセレクションを許可すると判定されたため、報知情報設定部３１６は、セルリセレクションを許可するか否かを表すフラグを立てる。
【０１０８】
第２の基地局３００の無線通信部３０４は、配下の移動端末１００へ、報知情報を送信する（ステップＳ１００８）。
【０１０９】
移動端末１００アクセス制御部１１２は、第２の基地局３００へ、パケット発信を開始しようとする。しかし、移動端末１００は第２の基地局３００によりアクセス規制の対象とされ、アクセス制御部１１２はパケット発信ができない（ステップＳ１０１０）。
【０１１０】
移動端末１００は、セルリセレクションを実行する（ステップＳ１０１２）。第２の基地局３００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。セルリセレクション判定部１１４は、セルリセレクションを許可するか否かを表すフラグが立っているので、セルリセレクションを実行すると判定する。移動端末１００のアクセス制御部１１２は、セルリセレクションを実行する。
【０１１１】
ステップＳ１００２−Ｓ１００６の処理は、ベースバンド制御装置３０６の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１０の各ステップＳ１００２−Ｓ１００６を実行させる。また、例えば、プログラムは、少なくとも一部のステップを実行されるようにしてもよい。
【０１１２】
＜移動通信システムの動作（その３）＞
図１１は、移動通信システムの動作（その３）（その４）を説明するための状況を示す。
【０１１３】
第１の基地局２００のセル２５０と、第２の基地局３００のセル３５０の少なくとも一部がオーバーレイしている。第１の基地局２００の規制率は２０％であり。第２の基地局３００の規制率は１０％である。移動端末１００は、第１の基地局２００のセルに位置する。
【０１１４】
図１２は、移動通信システムの動作（その３）を示すシーケンスチャートである。
【０１１５】
無線ネットワーク制御装置４００の規制率情報取得部４１２は、他セル規制率情報を取得する（ステップＳ１２０２）。具体的には、規制率情報取得部４１２は、管理装置から、他セル規制率情報を取得する。他セル規制率情報には、第２の基地局３００の識別子と、第２の基地局３００により実行されているアクセス規制の規制率が１０％であることを表す情報が含まれる。
【０１１６】
無線ネットワーク制御装置４００のセルリセレクション設定部４１４は、他セル規制率情報に基づいて、配下の移動端末１００に対してセルリセレクションを許可するか否かを設定する（ステップＳ１２０４）。セルリセレクション設定部４１４は、他セル規制率情報により表される第２の基地局３００の規制率が１０％であり、セル規制率情報により表される規制率が２０％であるため、セルリセレクションを許可すると判定する。他セル規制率情報に含まれる他セル規制率に、セル規制率情報に含まれるセル規制率未満の規制率が含まれるためである。
【０１１７】
無線ネットワーク制御装置４００の報知情報設定部４１６は、報知情報を作成する（ステップＳ１２０６）。報知情報設定部４１６は、ステップＳ１２０４により設定されたセルリセレクション許可情報に基づいて、セルリセレクションを許可するか否かを表すフラグを含む報知情報を作成する。ステップＳ１２０４によりセルリセレクションを許可すると判定されたため、報知情報設定部４１６は、セルリセレクションを許可するか否かを表すフラグを立てる。
【０１１８】
無線ネットワーク制御装置４００の通信部４０２は、第１の基地局２００へ、報知情報を送信する（ステップＳ１２０８）。
【０１１９】
第１の基地局２００は、配下の移動端末１００へ、無線ネットワーク制御装置４００からの報知情報を送信する（ステップＳ１２１０）。
【０１２０】
移動端末１００アクセス制御部１１２は、第１の基地局２００へ、パケット発信を開始しようとする。しかし、移動端末１００は第１の基地局３００によりアクセス規制の対象とされ、アクセス制御部１１２はパケット発信ができない（ステップＳ１２１２）。
【０１２１】
移動端末１００は、セルリセレクションを実行する（ステップＳ１２１４）。第１の基地局３００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。セルリセレクション判定部１１４は、セルリセレクションを許可するか否かを表すフラグが立っているので、セルリセレクションを実行する判定する。移動端末１００のアクセス制御部１１２は、セルリセレクションを実行する。
【０１２２】
ステップＳ１２０２−Ｓ１２０６の処理は、ベースバンド制御装置４０４の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１２の各ステップＳ１２０２−Ｓ１２０６を実行させる。また、例えば、プログラムは、少なくとも一部のステップを実行されるようにしてもよい。
【０１２３】
＜移動通信システムの動作（その４）＞
図１１に示される状況で、移動端末１００が、第２の基地局３００のセルに位置する場合について説明する。
【０１２４】
図１３は、移動通信システムの動作（その４）を示すシーケンスチャートである。
【０１２５】
第２の基地局３００の規制率情報取得部３１２は、他セル規制率情報を取得する（ステップＳ１３０２）。具体的には、規制率情報取得部３１２は、管理装置から、他セル規制率情報を取得する。他セル規制率情報には、第１の基地局３００の識別子と、第１の基地局２００により実行されているアクセス規制の規制率が２０％であることを表す情報が含まれる。
【０１２６】
第２の基地局３００のセルリセレクション設定部３１４は、他セル規制率情報に基づいて、配下の移動端末１００に対してセルリセレクションを許可するか否かを設定する（ステップＳ１３０４）。セルリセレクション設定部３１４は、他セル規制率情報により表される第１の基地局２００の規制率が２０％であり、セル規制率情報により表される規制率が１０％であるため、セルリセレクションを許可しないと判定する。他セル規制率情報に含まれる他セル規制率に、セル規制率情報に含まれるセル規制率未満の規制率が含まれないためである。
【０１２７】
第２の基地局３００の報知情報設定部３１６は、報知情報を作成する（ステップＳ１３０６）。報知情報設定部３１６は、ステップＳ１３０４により設定されたセルリセレクション許可情報に基づいて、セルリセレクションを許可するか否かを表すフラグを含む報知情報を作成する。ステップＳ１３０４によりセルリセレクションを許可しないと判定されたため、報知情報設定部３１６は、セルリセレクションを許可するか否かを表すフラグを立てない。
【０１２８】
第２の基地局３００の無線通信部３０４は、配下の移動端末１００へ、報知情報を送信する（ステップＳ１３０８）。
【０１２９】
移動端末１００アクセス制御部１１２は、第２の基地局３００へ、パケット発信を開始しようとする。しかし、移動端末１００は第２の基地局３００によりアクセス規制の対象とされ、アクセス制御部１１２はパケット発信ができない（ステップＳ１３１０）。
【０１３０】
移動端末１００は、待機する（ステップＳ１３１２）。第２の基地局３００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。セルリセレクション判定部１１４は、セルリセレクションを許可するか否かを表すフラグが立っていないので、セルリセレクションを実行しないと判定する。
【０１３１】
ステップＳ１３０２−Ｓ１３０６の処理は、ベースバンド制御装置３０６の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１３の各ステップＳ１３０２−Ｓ１３０６を実行させる。また、例えば、プログラムは、少なくとも一部のステップを実行されるようにしてもよい。
【０１３２】
本実施例によれば、他ＲＡＴの近接セルを示す情報を含む報知情報に、セルリセレクションを実行させるか否かを表すフラグが新規に用意される。
【０１３３】
移動端末は、パケット発信が規制された場合に、フラグが立っていれば他ＲＡＴにセルリセレクションを実施して発信を実施する。移動端末は、フラグが立っていなければ同じセルに留まって規制解除後にユーザの再発信などを期待する。
【０１３４】
報知情報に、セルリセレクションを実行させるか否かを表すフラグが用意されない場合について説明する。
【０１３５】
図８、図９に示される状況で、規制率が２０％の第１の基地局２００のセルに在圏する移動端末１００がパケット発信を実施したとする。ここで、移動端末１００は、アクセス規制の対象であるため発信ができず、近接の第２の基地局３００のセルにセルリセレクションを実施する。しかし、第２の基地局３００のセルの規制率は９０％であるため、第２の基地局３００でもアクセス規制により発信できないことが想定される。この場合、移動端末１００が第２の基地局３００のセルにそのまま留まる場合には、９０％の規制率の第２の基地局３００のセルに留まるよりも、規制率が２０％の第１の基地局２００のセルに留まる方が発信できる可能性が高かったことになるため、結果としてセルリセレクションが無駄に実行されたことになる。
【０１３６】
また、第２の基地局３００のセルでもアクセス規制の対象となったので、第１の基地局２００のセルに戻る動作が実行された場合には、戻った第１の基地局２００でもアクセス規制の対象となり、パケット発信が失敗する可能性がある。この場合、再度、第２の基地局３００のセルへ、セルリセレクションすることが想定される。その結果、第１の基地局２００のセルと、第２の基地局３００のセルとの間で、移動端末１００が遷移するＰｉｎｇ−Ｐｏｎｇ現象が発生するおそれがある。ＲＡＴを切り替えるためのサーチが実施されるため、セルリセレクションが実行されている間は、移動端末１００は、一切の発着信ができない。また、Ｐｉｎｇ−Ｐｏｎｇ現象が発生することにより、無駄にセルリセレクションが実行されることにより、移動端末の電池が無駄に消耗されることが懸念される。このような、Ｐｉｎｇ−Ｐｏｎｇ現象はユーザビリティの面で大きなデメリットがあるので、避けなければならない。
【０１３７】
本実施例によれば、他ＲＡＴの近接セルを示す報知情報に、セルリセレクションを実行させるか否かを表すフラグが新規に用意されることにより、移動端末１００は、パケット発信が規制された場合に、他ＲＡＴにセルリセレクションを実施して発信を実施するか否かを判断できるため、Ｐｉｎｇ−Ｐｏｎｇ現象が発生することを回避できる。
【０１３８】
フラグをどのように立てるかは、オペレータの運用で決定される。例えば、他ＲＡＴの近接セルの規制率と移動端末が在圏しているセルの規制率とを比較して、他ＲＡＴの近接セルの方の規制率が低ければ、フラグを立てる。フラグを立てることにより移動端末のセルリセレクションを促す。他ＲＡＴの近接セルの方の規制率が高ければ、フラグを立てない。フラグを立てないことにより移動端末をそのままセルに留まらせるようにする。
【０１３９】
このようにすることにより、無駄なセルリセレクションやＰｉｎｇ−Ｐｏｎｇ現象などのデメリットを避けつつ、アクセス規制されている場合でも、移動端末のパケット発信が成功する可能性を増加させることができる。このため、ユーザビリティの向上が見込める。
【０１４０】
また、フラグはオペレータの運用方針に従って立てることができるので、オペレータの意図通りに移動端末をＲＡＴへ遷移させることができる。例えば、アクセス規制の対象である移動端末に対して、一切セルリセレクションさせたくない場合は、セルリセレクションの実施を許可するか否かを表すフラグを立てないようにしてもよい。つまり、無線ネットワーク制御装置４００、第２の基地局３００は、常にセルリセレクションを許可するか否かを表すフラグを立てた報知情報を送信する。
【０１４１】
また、移動端末１００に、第１の基地局２００のセルに優先して待ち受けさせ、移動端末１００がパケット発信を実施するときに、ハンドオーバ等をさせることにより、第２の基地局３００のセルに遷移させるようなネットワーク運用が考えられる。ハンドオーバを実施させるには、移動端末１００は、ネットワークと通信状態にならなければならない。移動端末１００がアクセス規制の対象となった場合は、ネットワークとの間で通信できない状態になるため、パケット発信の際に第２の基地局３００のセルへ遷移させることができなくなる。このような場合に、規制率に関わらず、第１の基地局２００のセルから第２の基地局３００のセルへ遷移させるようにしてもよい。つまり、無線ネットワーク制御装置４００は、セルリセレクションの実施を許可するか否かを表すフラグを立てた報知情報を送信する。このようにすることにより、移動端末１００は、第１の基地局２００のセルから、第２の基地局３００のセルへ遷移できるため、移動端末１００は、パケット発信できる。この場合、第２の基地局３００は、セルリセレクションの実施を許可するか否かを表すフラグを立てない報知情報を送信するようにしてもよい。
【０１４２】
以上から、本実施例によれば、ユーザビリティの向上だけではなく、特定のオペレータの運用方針を実現することができる。
【０１４３】
また、本実施例において、独自の判定ロジックに基づいて、セルリセレクションの実施を許可するか否かを表すフラグを立てるか否かを決定するようにしてもよい。独自の判定ロジックに基づいてセルリセレクションの実施を許可するか否かを表すフラグを立てるか否かを決定する際には、無線ネットワーク制御装置４００からの報知情報、第２の基地局３００からの報知情報の両方のフラグが立てられることが無いようにするのが好ましい。第１の基地局２００のセル、第２の基地局３００のセルの両方で、移動端末１００のアクセス規制が実行された場合に、第１の基地局２００のセルと、第２の基地局３００のセルとの間で移動端末１００が遷移を繰り返すＰｉｎｇ−Ｐｏｎｇ現象が生じるおそれがあるからである。
【０１４４】
また、上述した実施例で示したように、本実施例は、ＬＴＥが適用された移動通信システム（ＬＴＥシステム）と、ＵＭＴＳが適用された移動通信システム（ＵＭＴＳシステム）との間でのセルリセレクション、ＬＴＥシステムと、ＧＳＭが適用された移動通信システム（ＧＳＭシステム）との間でのセルリセレクションに適用できる。この場合、例えば、ＬＴＥシステムと、ＵＭＴＳシステムとの間でのセルリセレクションに適用された場合、ＬＴＥシステムのセルに在圏中の移動端末１００へ、ＵＭＴＳシステムへのセルリセレクションを許可することを表すフラグと、ＬＴＥシステムへのセルリセレクションを許可することを表すフラグの両方が立てられた報知情報が送信されることがないようにするのが好ましい。例えば、ＵＭＴＳシステムへのセルリセレクションを許可することを表すフラグ、及びＬＴＥシステムへのセルリセレクションを許可することを表すフラグの両方が立つことがないようにネットワーク側で制限するのが好ましい。また、移動端末で、セルリセレクションに関するＲＡＴの優先度を表す情報を保持し、複数のフラグが立っていない場合は、優先度の高いＲＡＴにセルリセレクションを実施するようにしてもよい。
【０１４５】
＜変形例＞
上述した実施例において、管理装置によりセルリセレクションを実行するか否かが判定されてもよい。
【０１４６】
＜管理装置７００＞
図１４は、管理装置７００の一実施例を示す。
【０１４７】
管理装置７００は、通信部７０２と、ベースバンド制御装置７０４と、記憶部７０６とを有する。
【０１４８】
通信部７０２は、無線ネットワーク制御装置４００、第２の基地局３００と接続される。通信部７０２には、無線ネットワーク制御装置４００と接続された場合には、第１の移動通信システムの規制率情報が入力される。通信部７０２には、第２の基地局３００と接続された場合には、第２の移動通信システムの規制率情報が入力される。通信部７０２は、ベースバンド制御装置７０４へ、第１の移動通信システムの規制率情報、第２の移動通信システムの規制率情報を入力する。
【０１４９】
ベースバンド制御装置７０４は、通信部７０２と接続される。ベースバンド制御装置７０４は、記憶部７０６に記憶されたプログラムに従って、ベースバンド信号を処理するための制御を実行する。ベースバンド制御装置７０４は、通信部７０２からの第１の移動通信システムの規制率情報、第２の移動通信システムの規制率情報に基づいて、第１の移動通信システム、第２の移動通信システムそれぞれについて、配下の移動端末１００へセルリセレクションを許可するか否かを決定する。ベースバンド制御装置７０４は、第１の移動通信システム、第２の移動通信システムそれぞれについて、配下の移動端末１００へセルリセレクションを許可するか否かを表す情報（セルリセレクション許可情報）を作成する。ベースバンド制御装置７０４は、通信部７０２へ、該セルリセレクション許可情報を入力する。
【０１５０】
記憶部７０６は、ベースバンド制御装置７０４と接続される。記憶部７０６には、アプリケーションと、ＯＳとが格納される。アプリケーションは、作業者が管理装置７００で作業する処理を実行する機能を有するソフトウェアである。オペレーティングシステムは、管理装置７００において、ハードウェアを抽象化したインターフェースをアプリケーションソフトウェアに提供するソフトウェアである。
【０１５１】
＜管理装置７００の機能＞
図１５は、管理装置７００の機能の一実施例を示す。図１５には、記憶部７０６に記憶されたプログラムに従って、ベースバンド制御装置７０４により実行される機能が示される。
【０１５２】
ベースバンド制御装置７０４により実行される機能には、規制率情報取得部７１２と、セルリセレクション設定部７１４とが含まれる。
【０１５３】
規制率情報取得部７１２には、通信部７０２から、第１の移動通信システムの規制率情報、第２の移動通信システムの規制率情報が入力される。規制率情報取得部７１２は、セルリセレクション設定部７１４へ、通信部７０２からの第１の移動通信システムの規制率情報、第２の移動通信システムの規制率情報を入力する。
【０１５４】
セルリセレクション設定部７１４は、規制率情報取得部７１２と接続される。セルリセレクション設定部７１４には、規制率情報取得部７１２から、第１の移動通信システムの規制率情報、第２の移動通信システムの規制率情報が入力される。セルリセレクション設定部７１４は、第１の基地局２００によりアクセス規制が実行されている移動端末、第２の基地局３００によりアクセス規制が実行されている移動端末のそれぞれに対して、セルリセレクションを許可するか否かを判定する。
【０１５５】
具体的には、セルリセレクション設定部７１４は、第１の基地局２００によりアクセス規制が実行されている移動端末に対しては、第１の基地局以外の第２の基地局の規制率に、第１の基地局の規制率未満の規制率が含まれる場合には、セルリセレクションを許可すると判定する。一方で、セルリセレクション設定部７１４は、第１の基地局２００によりアクセス規制が実行されている移動端末に対しては、第１の基地局以外の第２の基地局の規制率に、第１の基地局の規制率未満の規制率が含まれない場合には、セルリセレクションを許可しないと判定する。
【０１５６】
また、セルリセレクション設定部７１４は、第２の基地局３００によりアクセス規制が実行されている移動端末に対しては、第２の基地局以外の第１の基地局の規制率に、第２の基地局の規制率未満の規制率が含まれる場合には、セルリセレクションを許可すると判定する。一方で、セルリセレクション設定部７１４は、第２の基地局２００によりアクセス規制が実行されている移動端末に対しては、第２の基地局以外の第１の基地局の規制率に、第２の基地局の規制率未満の規制率が含まれない場合には、セルリセレクションを許可しないと判定する。
【０１５７】
セルリセレクション設定部７１４は、通信部７０２へ、セルリセレクションを許可するか否かを表すセルリセレクション許可情報を入力する。
【０１５８】
通信部７０２は、セルリセレクション設定部７１４からのセルリセレクション許可情報を該当する無線ネットワーク制御装置４００、第２の基地局３００へ入力する。
【０１５９】
管理装置７００からのセルリセレクション許可情報は、無線ネットワーク制御装置４００の報知情報設定部４１６へ入力される。報知情報設定部４１６は、セルリセレクション許可情報に基づいて、報知情報を作成する。
【０１６０】
また、管理装置７００からのセルリセレクション許可情報は、第２の基地局３００の報知情報設定部３１６へ入力される。報知情報設定部３１６は、セルリセレクション許可情報に基づいて、報知情報を作成する。
【０１６１】
＜移動通信システムの動作（その１）＞
移動端末１００が、第１の基地局２００のセルに位置する場合について説明する。
【０１６２】
図１６は、移動通信システムの動作を示すシーケンスチャートである。
【０１６３】
管理装置７００の規制率情報取得部７１２は、無線ネットワーク制御装置４００から、規制率情報を取得する（ステップＳ１６０２）。該規制率情報には、第１の基地局２００の識別子と、第１の基地局２００により実行されているアクセス規制の規制率を表す情報が含まれる。
【０１６４】
管理装置７００の規制率情報取得部７１２は、第２の基地局３００から、規制率情報を取得する（ステップＳ１６０４）。該規制率情報には、第２の基地局３００の識別子と、第２の基地局３００により実行されているアクセス規制の規制率を表す情報が含まれる。
【０１６５】
管理装置７００のセルリセレクション設定部７１４は、無線ネットワーク制御装置４００からの規制率情報と、第２の基地局３００からの規制率情報とに基づいて、セルリセレクションを設定する（ステップＳ１６０６）。具体的には、セルリセレクション設定部７１４は、第１の基地局２００によりアクセス規制が実行されている移動端末に対しては、第１の基地局以外の第２の基地局の規制率に、第１の基地局の規制率未満の規制率が含まれるか否かに応じて、セルリセレクションを許可するか否かを判定する。また、セルリセレクション設定部７１４は、第２の基地局３００によりアクセス規制が実行されている移動端末に対しては、第２の基地局以外の第１の基地局の規制率に、第２の基地局の規制率未満の規制率が含まれるか否かに応じて、セルリセレクションを許可するか否かを判定する。
【０１６６】
管理装置７００の通信部７０２は、無線ネットワーク制御装置４００へ、セルリセレクション許可情報を送信する（ステップＳ１６０８）。
【０１６７】
管理装置７００の通信部７０２は、第２の基地局３００へ、セルリセレクション許可情報を送信する（ステップＳ１６１０）。
【０１６８】
無線ネットワーク制御装置４００の報知情報設定部４１６は、報知情報を作成する（ステップＳ１６１２）。報知情報設定部４１６は、ステップＳ１６０８により通知されたセルリセレクション許可情報に基づいて、セルリセレクションを許可するか否かを表すフラグを含む報知情報を作成する。
【０１６９】
第２の基地局３００の報知情報設定部３１６は、報知情報を作成する（ステップＳ１６１４）。報知情報設定部３１６は、ステップＳ１６１０により通知されたセルリセレクション許可情報に基づいて、セルリセレクションを許可するか否かを表すフラグを含む報知情報を作成する。
【０１７０】
無線ネットワーク制御装置４００の通信部４０２は、第１の基地局２００へ、報知情報を送信する（ステップＳ１６１６）。
【０１７１】
第１の基地局２００は、移動端末１００へ、無線ネットワーク制御装置４００からの報知情報を送信する（ステップＳ１６１８）。
【０１７２】
移動端末１００のアクセス制御部１１２は、第１の基地局２００へ、パケット発信を開始しようとする。しかし、移動端末１００は第１の基地局２００によりアクセス規制の対象とされ、アクセス制御部１１２はパケット発信ができない（ステップＳ１６２０）。
【０１７３】
移動端末１００は、セルリセレクションを実行するか否かを判定する（ステップＳ１６２２）。第１の基地局２００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。
【０１７４】
ステップＳ１６０６の処理は、ベースバンド制御装置７０４の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１６のステップＳ１６０２を実行させる。
【０１７５】
＜移動通信システムの動作（その２）＞
移動端末１００が、第２の基地局３００のセルに位置する場合について説明する。
【０１７６】
図１７は、移動通信システムの動作を示すシーケンスチャートである。
【０１７７】
図１７のステップＳ１７０２−Ｓ１７１４は、図１６のステップＳ１６０２−Ｓ１６１４と同様である。
【０１７８】
第２の基地局３００の無線通信部３０４は、移動端末１００へ、報知情報を送信する（ステップＳ１７１６）。
【０１７９】
移動端末１００アクセス制御部１１２は、第２の基地局３００へ、パケット発信を開始しようとする。しかし、移動端末１００は第２の基地局３００によりアクセス規制の対象とされ、アクセス制御部１１２はパケット発信ができない（ステップＳ１７１８）。
【０１８０】
移動端末１００は、セルリセレクションを実行するか否かを判定する（ステップＳ１７２０）。第２の基地局２００からの報知情報は、移動端末１００の無線通信部１０２により受信される。移動端末１００のアクセス制御部１１２は、セルリセレクション判定部１１４へ、報知情報に含まれるセルリセレクション許可情報を入力する。セルリセレクション判定部１１４は、アクセス制御部１１２からのセルリセレクション許可情報により表される情報に基づいて、セルリセレクションを実行するか否かを判定する。
【０１８１】
ステップＳ１７０６の処理は、ベースバンド制御装置７０４の有する中央演算処理装置がプログラムに従って処理を行うことにより実行される。該プログラムは、例えば、フレキシブルディスク、ＣＤ−ＲＯＭ、メモリカード等の記録媒体に記録された状態で提供される。また、プログラムを、通信網を介してダウンロードするようにしてもよい。この記録媒体をコンピュータの補助記憶装置に挿入すると、記録媒体に記録されたプログラムが読み取られる。中央演算処理装置は、読み込んだプログラムをＲＡＭあるいはＨＤＤに書き込み、処理を実行する。プログラムは、コンピュータに、図１７のステップＳ１７０２を実行させる。
【０１８２】
本変形例によれば、管理装置７００によりセルリセレクション許可情報が作成されるので、上述した実施例による効果に加えて、無線ネットワーク制御装置４００、第２の基地局３００の処理負荷を低減できる。
【０１８３】
説明の便宜上、発明の理解を促すため具体的な数値例を用いて説明されるが、特に断りのない限り、それらの数値は単なる一例に過ぎず適切な如何なる値が使用されてよい。
【０１８４】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【符号の説明】
【０１８５】
１００  移動端末
１０２  無線通信部
１０４  ベースバンド制御装置
１０６  記憶部
１１２  アクセス制御部
１１４  セルリセレクション設定部
２００  第１の基地局
２５０  セル
３００  第２の基地局
３０２  通信部
３０４  無線通信部
３０６  ベースバンド制御装置
３０８  記憶部
３１２  規制率情報取得部
３１４  セルリセレクション設定部
３１６  報知情報設定部
３５０  セル
４００  無線ネットワーク制御装置
４０２  通信部
４０４  ベースバンド制御装置
４０６  記憶部
４１２  規制情報取得部
４１４  セルリセレクション設定部
４１６  報知情報設定部
５００  ＳＧＳＮ
６００  ＭＭＥ
【図１】
2013135455.tif 000003
【図２】
2013135455.tif 000004
【図３】
2013135455.tif 000005
【図４】
2013135455.tif 000006
【図５】
2013135455.tif 000007
【図６】
2013135455.tif 000008
【図７】
2013135455.tif 000009
【図８】
2013135455.tif 000010
【図９】
2013135455.tif 000011
【図１０】
2013135455.tif 000012
【図１１】
2013135455.tif 000013
【図１２】
2013135455.tif 000014
【図１３】
2013135455.tif 000015
【図１４】
2013135455.tif 000016
【図１５】
2013135455.tif 000017
【図１６】
2013135455.tif 000018
【図１７】
2013135455.tif 000019